(57)【特許請求の範囲】
【請求項１】
扉枠と、扉枠に回動自在に取付けた袖扉を備え、袖扉の室内側にはカバー材が着脱自在に取付けてあり、カバー材は袖扉の戸先側室内面に係合する係合部と、扉枠の吊元側竪枠に係止する係止部を有していることを特徴とする袖扉付き枠体。
【請求項２】
カバー材の係合部が袖扉の戸先側室内面に断熱材を介して連結された戸先側部材に係脱自在であると共に、カバー材の係止部が吊元側竪枠に断熱材を介して連結された室内側部材に係脱自在であることを特徴とする請求項１に記載の袖扉付き枠体。
【請求項３】
室内側部材は、カバー材の係止部が係止する断面略コ字状の被係止部を有していることを特徴とする請求項２に記載の袖扉付き枠体。
【発明の詳細な説明】
【技術分野】
【０００１】
本発明は、例えばマンションや戸建て住宅の玄関などに好適に用いられる袖扉付きの枠体に係わり、特に袖扉に採光性や換気性といった機能を持たせたり、照明、インターホン、電気錠などの装置を設けたりした場合に、これらの保守、点検や修理を容易に行えるようにした袖扉付き枠体に関するものである。
【背景技術】
【０００２】
上記したような玄関ドアについては、例えば特許文献１に開示されているように、豪華な高級感に富むものとしながら、できるだけコストアップを避ける観点から、一方の竪枠側に本体ドアを揺動開閉自在に枢支すると共に、他方の竪枠側には、本体ドアに隣接させて、このドアと一体的な見た目を有する袖パネル（袖扉）を揺動開閉可能に配置することが知られている。
【特許文献１】特開２００２−２６７８１５号公報
【発明の開示】
【発明が解決しようとする課題】
【０００３】
しかしながら、特許文献１に記載の玄関ドアの袖パネルには、玄関灯やインターホンなどの機能設備が装備されているものの、これらのメンテナンス、例えば清掃や電球の交換、配線の点検、故障した場合の修理等に際しては、袖パネル全体を取り外したり、パネルを分解したりすることが必要となって、必ずしも簡単に行うことができないという問題点があった。
【０００４】
本発明は、袖パネルや袖扉に、玄関灯やインターホン、電気錠などの機能設備を備えた玄関ドアにおける上記課題を解決すべくなされたものであって、その目的とするところは、これら機能設備の保守・点検を容易に行うことができる袖扉を備えた袖扉付き枠体を提供することにある。
【課題を解決するための手段】
【０００５】
本発明の袖扉付き枠体は、扉枠と、扉枠に回動自在に取付けた袖扉を備え、袖扉の室内側にはカバー材が着脱自在に取付けてあり、このカバー材が袖扉の戸先側室内面に係合する係合部と、扉枠の吊元側竪枠に係止する係止部を有していることを特徴とし、袖扉付き枠体におけるこのような構成を前述の課題を解決するための手段としている。
【０００６】
本発明の袖扉付き枠体の好適形態においては、上記したようにカバー材が係合部と係止部をそれぞれ備え、係止部が袖扉の戸先側室内面に断熱材を介して連結された戸先側部材に、係止部が吊元側竪枠に断熱材を介して連結された室内側部材にそれぞれ係脱自在であることを特徴とする。
また、本発明の袖扉付き枠体のさらなる好適形態においては、吊元側竪枠に連結された室内側部材が、カバー材の係止部が係止する断面略コ字状の被係止部を備えていることを特徴としている。
【発明の効果】
【０００７】
本発明の袖扉付き枠体によれば、カバー材が袖扉の室内側に着脱自在に取付けてあるので、このカバー材を外すだけで、袖扉に装備した照明やインターホン等の各種機能設備に対する保守・点検、修理を簡単に行うことができるようになる。
そして、このカバー材は係合部と係止部を備え、それぞれ袖扉の戸先側室内面と袖扉の吊元側竪枠に係脱するようになっており、袖扉側から竪枠まで延出していることから、袖扉と竪枠の隙間をカバーすることができ、この間の気密性を向上させることができる。
【０００８】
本発明の好適形態によれば、カバー材の係合部が袖扉の戸先側室内面に断熱材を介して連結された戸先側部材に、係止部が吊元側竪枠に同様に断熱材を介して連結された室内側部材にそれぞれ係脱自在であることから、カバー材と袖扉及び枠体との間の熱移動が防止され、室内の冷暖房の効率を高めることができる。
【０００９】
本発明のさらなる好適形態によれば、吊元側竪枠に同様に断熱材を介して連結された室内側部材がカバー材の係止部が係止する被係止部を有し、これが略コ字状の断面をなしていることから、相対向して略コ字状断面の開口部を形成する片の弾性変形によって、カバー材係止部の着脱が容易かつ確実なものとなる。
【発明を実施するための最良の形態】
【００１０】
以下、本発明の実施の形態を図面を参照して説明する。
【００１１】
図１〜４は、本発明の袖扉付き枠体の一実施例として、袖扉付き玄関ドア用の枠体を示すものであって、図１（ａ）及び（ｂ）は、その室内側及び室外側からのそれぞれ正面図、図２は縦断面図である。
図に示す袖扉付き枠体１は、躯体の開口部に固定された竪枠２ａ、上枠２ｅ、下枠２ｆから成る扉枠２内に主扉３と袖扉４を備え、一方の竪枠、すなわち図１（ａ）における図中右側の竪枠２ａに袖扉４が蝶番５（図３、４参照）により回動自在に取付けてあると共に、同図左側の竪枠２ａには主扉３が蝶番６によって回動自在に支持されている。
【００１２】
この袖扉４には、その上方側に採光用の小窓７が設けてあると共に、この採光窓７の下方のほぼ中央部分には換気装置８が取り付けてある。
さらにその下方側には、施錠用のサムターン９が２個設けてある。
【００１３】
図３及び図４は、図１（ａ）の線Ａ−Ａ（換気装置８の位置）及び線Ｂ−Ｂ（採光窓７の位置）についてのそれぞれ水平断面図を示すものである。
これら図３及び４において、前述したように、袖扉４は、換気装置８（図３参照）及び採光窓７（図４参照）を備え、躯体２０に固定された一方の竪枠２ａとの間に若干の隙間を開けた状態に、竪枠２ａに固定された蝶番５によって回動自在に支持されている。
【００１４】
換気装置８は、袖扉４の本体部を構成する形材４ａの室内側面に取り付けられており、内蔵されたシャッタープレートがつまみ８ａの上下動操作によって開閉するようになっており、竪枠２ａとの間に形成された隙間と、形材４ａの換気装置取付面と蝶番取付面に形成した図示しない通気孔を介して内外空間を連通させ、必要に応じて室内の換気を図るようにしてある。
一方、採光窓７は換気装置８の上方に配置され、図４に示すように、袖扉用形材４ａに形成した開口部に複層ガラス７ａが嵌め込まれている。
【００１５】
なお、袖扉用形材４ａの室内側面の戸先側には、戸先側部材４ｂが断熱材４ｃを介して取り付けられる一方、一方の竪枠、すなわち袖扉４の吊元側竪枠２ａの室内側には、室内側部材２ｂが同様に断熱材２ｃを介して取り付けられており、次に述べるカバー材１０がこれら部材４ｂ、２ｂに係脱するようになっている。
【００１６】
そして、袖扉４の室内側には、図３及び図４に示すように、カバー材１０が着脱自在に配置されており、形材４ａの室内側に取り付けられた換気装置８や、採光窓７の周辺部分を覆って、袖扉室内側の外観を損なわないようにしている。
【００１７】
図５（ａ）及び（ｂ）は、カバー材１０の形状を示すそれぞれ部分正面図及び断面図であって、カバー材１０は、長尺状の形材から成るものであって、図５（ａ）中の右方長辺側は、略Ｖ字状の断面を備え、吊元側竪枠２ａに断熱材２ｃを介して取り付けられた室内側部材２ｂに係止する係止部１０ａとなっている。
一方、カバー材１０の図中左方長辺側は、２本の突片が突出した略Ｆ字状断面に形成され、袖扉用形材４ａの戸先側室内面に断熱材４ｃを介して取り付けられた戸先側部材４ｂに係合する係合部１０ｂとなっている。
【００１８】
さらに、カバー材１０には、袖扉用形材４ａの室内側に装着された換気装置８の前面に相当する位置に、通気用スリット１０ｃ及び換気装置８の操作つまみ８ａを突出させるためのつまみ孔１０ｄが形成され、さらにその下方位置には、サムターン９を突出させるつまみ孔１０ｅが形成されている。
なお、当該カバー材１０の図外位置には、その最上方位置に採光窓７用の開口部が形成されていると共に、サムターン用つまみ孔１０ｅのさらに下方位置にもう１個のつまみ孔１０ｅが形成されていることは言うまでもない。
【００１９】
図６は、カバー材１０の取り付け、取り外し状況を説明するための断面図である。
図において、室内側部材２ｂは略エの字状断面を有する形材から成るものであって、上述のように断熱材２ｃを介して、吊元側竪枠２ａの室内側面に取り付けられている。なお、この室内側部材２ｂの図中左側における略コの字状をなす開口部分がカバー材１０の係止部１０ａを受け入れる被係止部２ｄとなっている。
一方、戸先側部材４ｂは、断熱材４ｃやタイト材の嵌合溝を備えた形材から成り、同様に断熱材４ｃを介して袖扉用形材４ａの戸先側室内面に取り付けられている。
【００２０】
カバー材１０の袖扉４への取り付けに際しては、図６に示すように、まずカバー材１０の係止部１０ａを室内側部材２ｂの被係止部２ｄに係止させる。このとき、カバー材１０の係止部１０ａの断面がＶ字形をなし、先端部が鋭角状に突出しているので、室内側部材２ｂのコ字状断面をなす被係止部２ｄの開口部内に容易に嵌合すると共に、被係止部２ｄの相対向する突片の弾性変形によって、開口部内に容易に係止させることができる。
【００２１】
次いで、カバー材１０の図中左端部分を袖扉４の戸先側室内面に取り付けられた戸先側部材４ｂに押し付け、係合部１０ｂを構成する２本の突片１０ｃ、１０ｄの先端部分に戸先側部材４ｂの基板部分を係合させる。
【００２２】
カバー材１０は、このように袖扉４に簡単に取り付けることができ、上記したように袖扉４の室内側に取り付けた換気装置８に代表される各種の機能設備を見えなくして、外観意匠性を向上させることができる。
また、上記したように、カバー材１０の吊元側端部が袖扉側ではなく、竪枠２ａに係止されていることから、竪枠２ａを躯体２０に固定するための木ねじ１１を隠蔽することができ、目隠し用の目板を設ける必要がなくなると共に、袖扉４と竪枠２ａの隙間を解消して、袖扉−竪枠間の間の気密性を向上させることができる。
【００２３】
さらに、カバー材１０は、竪枠２ａ、袖扉４に、それぞれ断熱材２ｃ、４ｃを介して取り付けた室内側部材２ｂ、戸先側部材４ｂに係脱するようになっているので、カバー材１０と袖扉４及び竪枠２ａとの間の断熱性が向上し、冷暖房効率を高めることが可能になる。
【００２４】
これに対して、カバー材１０を袖扉４から取り外すに際しては、袖扉４を開放方向に僅かに回動させるだけで、極めて容易にカバー材１０を袖扉４の室内側面から外すことができる。
すなわち、袖扉４が蝶番５を中心に回動することによって、カバー材１０の係止部１０ａが室内側部材２ｂの被係止部２ｄから抜け出ることから、カバー材１０の右側端部がフリーな状態となり、カバー材１０の係合部１０ｂを戸先側部材４ｂから容易に外すことができる。
【００２５】
これによって、袖扉４に装着した各種機能設備の保守点検、例えば換気装置８の作動点検や修理、採光窓７の清掃やガラス交換、さらに、インターホンや電気錠などを取り付けた場合には、これらの配線点検や修繕などに対応することができる。
【００２６】
なお、袖扉４を構成する袖扉用形材４ａの吊元側室内面には、樹脂製のつぶれ防止部材１２が取り付けてあり、袖扉４を開けた後、再び閉じるに際して、カバー材１０の位置ぶれを防止して、係止部２ａが室内側部材２ｂの被係止部２ｄに正確に嵌合するようにしている。
【００２７】
また、室内側部材２ｂ及び戸先側部材４ｂには、それぞれタイト材１３が装着されており、袖扉４と竪枠２ａ間の気密性をより確実なものとすると共に、袖扉４と主扉３の間の気密性を確保するようにしている。
さらに、蝶番５の竪枠側片には、クッション材１４が貼着されており、袖扉４の開放時における騒音発生を防止するようにしている。
【００２８】
本発明の袖扉付き枠体１においては、図２の縦断面図に示すように、扉枠２を構成する上枠２ｅ及び下枠２ｆにも、その長手方向にわたってタイト材１４がそれぞれ設けてある。これらタイト材１４は、袖扉４の屋内側面の上端部分及び下端部分にそれぞれ当接すると共に、端部において室内側部材２ｂに取り付けたタイト材１３の上端部及び下端部にそれぞれ連続して気密性を高めている。
【００２９】
なお、この実施形態においては、袖扉４を常態では固定して袖パネルのように用いるものとなっている。すなわち、図示した袖扉４は、吊元側竪枠２ａに回動可能に連結してあるので、開閉操作できることは当然であるが、閉じた位置で若干下降し得る構造になっており、この際に、図２に示すように袖扉４の下端面に設けた閉塞部材１５を扉枠２の下枠２ｆの上面に当接させることで、気密性を確保しつつ、閉じた常態を安定して維持する用になっている。
【図面の簡単な説明】
【００３０】
【図１】本発明の袖扉付き枠体の一実施例を示す室内側からの正面図（ａ）及び室外側からの正面図（ｂ）である。
【図２】図１に示した袖扉付き枠体の縦断面図である。
【図３】図１（ａ）における線Ａ−Ａでの水平断面図である。
【図４】図１（ａ）における線Ｂ−Ｂでの水平断面図である。
【図５】本発明の袖扉付き枠体に用いるカバー材の正面図（ａ）及び断面図（ｂ）である。
【図６】本発明の袖扉付き枠体におけるカバー材の係脱状況を説明する概略断面図である。
【符号の説明】
【００３１】
１  袖扉付き枠体
２  扉枠
２ａ  一方の竪枠
２ｂ  室内側部材
２ｃ  断熱材
２ｄ  被係止部
４  袖扉
４ｂ  戸先側部材
４ｃ  断熱材４  袖扉
１０  カバー材
１０ａ  係止部
１０ｂ  係合部
【図１】
0004988652.tif 000002
【図２】
0004988652.tif 000003
【図３】
0004988652.tif 000004
【図４】
0004988652.tif 000005
【図５】
0004988652.tif 000006
【図６】
0004988652.tif 000007